(57)【要約】  開口部（１１ｂ）を備えた空洞を有する本体（１０）と、本体（１０）に対して移動可能である蓋（２０）と、を備えるポット（１００）。本体（１０）は、係合要素（１４ｅ）を有し、蓋（２０）は、閉鎖タブ（７０）であって、蓋（２０）が開口部を閉じる閉位置にあるとき、閉鎖タブ（７０）が係合要素（１４ｅ）と協働し、したがって蓋（２０）を閉位置に保持する係合位置と、閉鎖タブ（７０）が係合要素（１４ｅ）と協働しない係合解除位置と、の間で移動可能である、閉鎖タブを有する。ポットは、ブロッキングタング（４２）であって、閉鎖タブ（７０）を係合位置にブロックするロック位置と、閉鎖タブ（７０）が係合位置と係合解除位置との間で移動可能である非ロック位置と、の間で移動可能なブロッキングタングを有する。【選択図】図１
2019529048.tif 000002
【特許請求の範囲】
【請求項１】
固体、液体またはペースト状の物質（１２）を収容するのに適した空洞を有する本体（１０、１１０）であって、前記空洞は開口部（１１ｂ、１１１ｂ）を有する本体と、前記本体（１０、１１０）に対して移動可能である蓋（２０、１２０）と、を備えるポット（１００、２００）であって、前記本体（１０、１１０）および前記蓋（２０、１２０）の間からの第１の要素は、係合要素（１４ｅ）を含み、前記本体（１０、１１０）および前記蓋（２０、１２０）の間からの第２の要素は、閉鎖タブ（７０、１７０）であって、前記蓋（２０、１２０）が前記開口部を閉じる閉位置にあるとき、前記閉鎖タブ（７０、１７０）が前記係合要素（１４ｅ）と協働し、それによって前記蓋（２０、１２０）を前記閉位置に保持する係合位置と、前記蓋（２０、１２０）が前記本体（１０、１１０）に対して移動することを可能にするために前記閉鎖タブ（７０、１７０）が前記係合要素（１４ｅ）と協働しない係合解除位置と、の間で移動可能である、閉鎖タブを含む、ポットにおいて、ブロッキングタング（４２、１４２）であって、前記ブロッキングタング（４２、１４２）が前記閉鎖タブ（７０、１７０）を前記係合位置にブロックするロック位置と、前記閉鎖タブ（７０、１７０）が前記係合位置と前記係合解除位置との間で移動可能である非ロック位置と、の間で移動可能である、ブロッキングタングと、前記ブロッキングタング（４２、１４２）を前記ロック位置と非ロック位置との間で移動させるように構成されたアクチュエータ（４０、１４０）と、を備えることを特徴とする、ポット。
【請求項２】
前記閉鎖タブ（７０、１７０）が、回転移動可能である、請求項１に記載のポット。
【請求項３】
前記閉鎖タブ（７０、１７０）を前記係合解除位置に戻すように構成された戻り手段（７８）を備える、請求項１または請求項２に記載のポット。
【請求項４】
停止部を備え、前記係合解除位置において、前記閉鎖タブ（７０、１７０）が前記停止部に当接している、請求項１から３のいずれか一項に記載のポット。
【請求項５】
前記ブロッキングタング（４２、１４２）が、前記アクチュエータ（４０、１４０）にしっかりと連結されている、請求項１から４のいずれか一項に記載のポット。
【請求項６】
前記閉鎖タブ（７０、１７０）が、前記ブロッキングタング（４２、１４２）と協働するように構成された突出部（７２）を備える、請求項１から５のいずれか一項に記載のポット。
【請求項７】
前記アクチュエータが、並進移動可能である押しボタン（４０、１４０）である、請求項１から６のいずれか一項に記載のポット。
【請求項８】
前記押しボタンが、押し壁（４１ａ）と、前記押し壁（４１ａ）に対して実質的に垂直である摺動壁（４１ｂ）と、を備え、前記ブロッキングタング（４２、１４２）は、前記摺動壁（４１ｂ）上に形成されている、請求項７に記載のポット。
【請求項９】
前記第１の要素が、前記本体（１０、１１０）であり、前記第２の要素が、前記蓋（２０、１２０）である、請求項１から８のいずれか一項に記載のポット。
【請求項１０】
前記本体（１０、１１０）および前記蓋（２０、１２０）が、たとえばヒンジによって互いに連接される、請求項１から９のいずれか一項に記載のポット。
【請求項１１】
前記蓋（２０、１２０）が、シーリングガスケット（６９、１６９）をさらに備え、前記アクチュエータ（４０、１４０）が、前記ブロッキングタング（４２、１４２）が前記ロック位置にあるとき前記シーリングガスケット（６９、１６９）を特に軸方向に圧縮するように構成される、請求項１から１０のいずれか一項に記載のポット。
【発明の詳細な説明】
【技術分野】
【０００１】
本開示は、ポットに関し、より詳細には、固体、液体、またはペースト状であり得る物質を収容するのに適したポットに関する。そのようなポットは、特に化粧品の包装に使用され得る。
【背景技術】
【０００２】
一例として、国際公開第２００５／０３９３４９号パンフレットは、固体、液体、またはペースト状であり得る物質を収容するのに適した空洞を有し、その空洞は、本体に対して移動可能な開口部と蓋とを有する本体を含み、本体および蓋の間からの第１の要素は係合要素を含み、本体および蓋の間からの第２の要素は閉鎖タブを含み、蓋が開口部を閉じる閉位置にあるとき、閉鎖タブが係合要素と協働し、それによって蓋を閉位置に保持する係合位置と、蓋を本体に対して移動させることを可能にするために閉鎖タブが係合要素と協働しない係合解除位置と、の間で移動可能である閉鎖タブを含む、ポットを開示する。
【０００３】
国際公開第２００５／０３９３４９号パンフレットに開示されているポットでは、係合要素および閉鎖タブは、互いに係合する２つのフックの形をしている。閉鎖タブは、横方向押しボタンにしっかりと連結されているので、押しボタンに及ぼされた圧力が閉鎖タブを係合位置から係合解除位置に進め、それによって蓋を開くことを可能にする。押しボタンはばねによって戻される。
【０００４】
そのようなポットでは、係合要素内の閉鎖タブの係合はそれほど確実ではなく、ポットは不時の挙動で開いて、その内容物をこぼすことがある。
【０００５】
本発明は、少なくとも部分的にその欠点に対処し、閉位置での保持がより確実であるポットを提案しようとするものである。
【発明の概要】
【０００６】
本目的は、ポットが、ブロッキングタングであって、ブロッキングタングが閉鎖タブを係合位置にブロックするロック位置と、閉鎖タブが係合位置と係合解除位置との間で移動可能である非ロック位置との間で移動可能である、ブロッキングタングと、ブロッキングタングをロック位置と非ロック位置との間で移動させるように構成されたアクチュエータとを備えるという事実によって達成される。
【０００７】
ロック位置では、ブロッキングタングは、閉鎖タブを係合位置にブロックする。したがって、閉鎖タブの不時の移動は可能ではなく、それによって閉鎖タブは係合要素と効果的に協働し、蓋を確実な方法で閉位置に保持する。閉位置は、ポットが閉じられている状況に対応する。
【０００８】
いくつかの実施形態では、第２の要素は、ブロッキングタングを備える。このようにして、閉鎖タブおよびブロッキングタングは、本体および蓋から選択された同じ要素上に設けられる。これにより、協働が容易になる。
【０００９】
いくつかの実施形態では、閉鎖タブは、回転移動可能である。摺動と比較して、回転はほとんど摩擦をもたらさず、それによって部品の磨耗を減少させる。
【００１０】
いくつかの実施形態では、ポットは、閉鎖タブを係合解除位置に戻すように構成された戻り手段を備える。したがって、閉鎖タブがブロッキングタングによってブロックされるとき、閉鎖タブは戻り手段とは無関係に静止状態に保持され、係合位置に留まる。対照的に、ブロッキングタングが非ロック位置にあり、もはや閉鎖タブをブロックしないとき、閉鎖タブは戻り手段によって係合解除位置に駆動される。これにより、ポットを開くことが容易になる。
【００１１】
戻り手段は、ばね、磁石、または戻り力を及ぼすのに適した他の任意の要素などの弾性要素であってよい。
【００１２】
いくつかの実施形態では、ポットは停止部を備え、係合解除位置では、閉鎖タブは前記停止部に当接している。このようにして閉鎖タブのストロークは正確に規定される。結果として、閉鎖タブによって占有される空間は、その様々な位置にもかかわらず、限定されたままである。
【００１３】
いくつかの実施形態では、ブロッキングタングは、アクチュエータにしっかりと連結される。アクチュエータの動きはブロッキングタングの動きから直接生じるので、これはしたがって確実に作動される。
【００１４】
いくつかの実施形態では、閉鎖タブは、ブロッキングタングと協働するように構成された突出部を備える。突出部の存在は、ブロッキングタングと閉鎖タブとの間の協働をより正確にする。
【００１５】
いくつかの実施形態では、アクチュエータは、並進移動可能な押しボタンである。特に、ブロッキングタングがアクチュエータにしっかりと連結されているとき、ブロッキングタングは、アクチュエータが並進移動する方向に並進移動可能である。
【００１６】
押しボタンは、第２の要素、すなわち閉鎖タブと同じ本体および蓋の間からの要素内に位置することができる。
【００１７】
ばねのような戻り要素は、押しボタンが作動された後に押しボタンをその静止位置に付勢するように構成され得る。
【００１８】
いくつかの実施形態では、押しボタンは、押し壁と、押し壁に実質的に垂直である摺動壁とを備え、ブロッキングタングは、摺動壁上に形成される。押し壁は、押しボタンを作動させるための押圧力を受けるための壁である。摺動壁は、押し壁に横断方向に力が及ぼされたときに押しボタンが摺動する方向を規定することができる。
【００１９】
いくつかの実施形態では、ポットは受け台をさらに備え、押しボタンは、ハート形状経路を備えたカムを介して受け台と協働する。ハート形状経路を備えたカムは、以下により詳細に説明される。このようにして、押しボタンは、２つの安定位置間を移動可能である。戻り要素が押しボタンを受け台から離れるように移動させる傾向がある場合、押しボタンが２つの安定位置間を進むことは、押しボタンに、適切な場合はその押し壁にかけられた押圧によって引き起こされる。
【００２０】
いくつかの実施形態では、押しボタンは、受け台のスカートと協働するスカートを備える。例えば、押しボタンが受け台に対して並進移動されるとき、スカートは一方を他方に対して摺動させることによって協働することができる。そのようなスカートの存在は、押しボタンの動きによって引き起こされるあらゆる共鳴を制限する。
【００２１】
いくつかの実施形態では、第１の要素は本体であり、第２の要素は蓋である。したがって、特に閉鎖タブおよびアクチュエータがある場合にはそれらを含む、ポットを開くための機構は、蓋内に収容される。
【００２２】
いくつかの実施形態では、第１の要素および第２の要素は、たとえばによって、互いに連接される。
【００２３】
いくつかの実施形態では、蓋は、シーリングガスケットをさらに備える。シーリングガスケットは、開口部の周りに位置することができる。したがって、シーリングガスケットは、開口部と、閉位置にあるときに開口部を閉じる蓋との間にシール作用をもたらす。
【００２４】
いくつかの実施形態では、アクチュエータは、ブロッキングタングがロック位置にあるとき、またはロック位置に進むときに、シーリングガスケットを特に軸方向に圧縮するように構成される。圧縮は、それ自体がアクチュエータによって作動される部分を介して間接的に行われ得る。したがって、ブロッキングタングがロック位置に進み、それに対応してポットをロックすることは、シーリングガスケットが対応する方法で、任意選択により同時に作動される結果として空洞がシールされることと同時に起こる。
【００２５】
加えて、アクチュエータは、ブロッキングタングが非ロック位置にあるときにシーリングガスケットを静止させたままにするように構成され得る。
【００２６】
より一般的には、ガスケットは、その圧縮方向に対して垂直である表面に対してシーリング作用をもたらすように構成され得る。
【図面の簡単な説明】
【００２７】
本発明およびその利点は、非限定的な例として与えられている本発明の実施形態の以下の詳細な説明を読むことでよりよく理解され得る。説明は、添付の図を参照する。
【図１】閉鎖タブが係合位置にある、ポットの第１の実施形態の断面図である。
【図２Ａ】図１のポットの分解斜視図である。
【図２Ｂ】図２Ａと類似しており、異なる視野角を有する図である。
【図３】第１の実施形態における押しボタンの詳細斜視図である。
【図４】第１の実施形態で使用されるハート形状経路を示す図である。
【図５】閉鎖タブが係合解除位置にある、ポットの第１の実施形態の断面図である。
【図６】閉鎖タブが係合位置にある、ポットの第２の実施形態の断面図である。
【図７】図６の切断面に対する垂直な断面における、ポットの第２の実施形態の図である。
【図８】閉鎖タブが係合解除位置にある、ポットの第２の実施形態の断面図である。
【図９】第２の実施形態において提供されるような押しボタンの詳細斜視図である。
【図１０】第２の実施形態で提供されるようなインサートの詳細斜視図である。
【図１１】第２の実施形態で提供される受け台の詳細斜視図である。
【発明を実施するための形態】
【００２８】
図１〜図４を参照して、本発明の第１実施形態を構成するポットの構造が詳細に説明される。
【００２９】
上述のように、図１は、本体１０と、本体１０に対して移動可能な蓋２０とを備えるポット１００の断面図である。本実施形態では、本体１０は、本発明の意味における第１の要素を形成し、蓋２０は、第２の要素を形成する。そうではあるが、反対の構成を適用することもできる。以下の説明では、汎用性を失うことなく、また明確さのために、第１および第２の要素に対するものとして、本体１０および蓋２０のみを参照する。
【００３０】
本体１０は、固体、液体、またはペースト状であり得る物質１２を収容するのに適した空洞を有し、この空洞は開口部を有する。この場合、本体は、容器１１が中に配置されるトリム１０ａを備える。容器１１は、リム１１ａを備え、開口部１１ｂを介して開かれる（図２Ａを参照）。
【００３１】
蓋２０は、蓋２０が開口部１１ｂを閉じる閉位置に配置され得る。ポット１００は、そのため閉じられているとみなされる。これは、図１に示される位置である。本体１０はまた、この例では実質的に環状である周囲部分１４ａと、周囲部分１４ａの内側に半径方向に設けられた肩部１４ｂとを備えたプレート１４を備える。用語「実質的に環状」は、実質的に連続的であり、実質的に円形、楕円形、長円などであり得る形状を意味するために使用される。肩部１４ｂは、周囲部分１４ａから開始して、開口部１１ｂに向かって突出する。
【００３２】
プレート１４は、プレート１４をトリム１０ａ上に位置決めし締め付けるために、トリム１０ａ上に設けられた対応する割り出し要素１０ｄ（図２Ａを参照）と協働するための割り出し要素１４ｄ（図２Ｂを参照）をさらに備える。
【００３３】
図１に示されるように、容器１１のリム１１ａは、容器がトリム１０ａ内に吊り下げられるようにプレート１４の肩部１４ｂを圧迫する。容器１１は、固体、液体、またはペースト状の物質１２を収容するように構成される。
【００３４】
任意選択により、本体１０は、膜シール１８を備えることができる。図１に示されるように、膜シール１８は、物質１２を保護するために開口部１１ｂを閉じるためのものである。膜シール１８は、容器１１のリム１１ａ、たとえばその目的のために設けられた肩部を圧迫することができる。
【００３５】
蓋２０は、受け台３０と押しボタン４０とを備える。蓋２０、そしてこの例ではより正確には受け台３０は、蓋２０を本体１０にヒンジ止めするためのヒンジ３２を備えることができる。この場合、ヒンジ３２は、ピン３２ａと、マスキング部分３２ｂとを備える。ピン３２ａは、ロッド１７を受けるように構成される。さらに、ロッド１７は、プレート１４上に設けられたピン支持体１５に挿入されるように構成される。したがって、ピン支持体１５に対するピン３２ａの連接が、ヒンジを形成する。結果として生じるヒンジは、ロッド１７によって画定された軸の周りで枢動可能である。
【００３６】
ピン支持体１５は、周囲部分１４ａからトリム１０ａの内側に向かって突出する。プレート１４は、ヒンジ３２を挿入するためのオリフィス１４ｃを有し、したがってヒンジ３２をピン支持体１５と整列させることができる。マスキング部分３２ｂは、特にポット１００が開位置にあるときに、オリフィス１４ｃおよびピン３２ａをマスキングするように構成される。この目的のために、マスキング部分３２ｂは、ポット１００が開く側に向かって、ヒンジ３２の枢動軸を画定するロッド１７に対してずれる。
【００３７】
ピン３２ａは、戻り要素、ここではばね１６を受けるように構成される。この場合、図２Ａに示されるように、各ピン３２ａは、薄い部分を含み、その上にばね１６が受け入れられる。ばね１６は、ピン３２ａとピン支持体１５との間にねじりをもたらす。したがって、ばね１６は、蓋２０をポット１００の開位置に向かって付勢するように、すなわち蓋２０を本体１０に対するその閉位置から離れるように移動させるように構成された戻り手段を構成する。
【００３８】
受け台３０は、押しボタン４０と協働する。押しボタン４０は、押し壁４１ａと、押し壁４１ａに対して実質的に垂直である摺動壁４１ｂとを備える。押しボタン４０、より詳細にはその押し壁４１ａは、蓋２０の外側にある。上述したように、また図３に示されるように、ブロッキングタング４２が、摺動壁４１ｂに形成される。ブロッキングタング４２は以下により詳細に説明される。
【００３９】
押しボタン４０はまた、受け台３０のガイド３４と協働するのに適した突起部４４を備える。この場合、突起部４４は断面十字形のロッドである。この例では、ガイド３４は、十字形部分の幅に等しいかそれよりわずかに小さい内径の中空シリンダである。この場合、受け台３０は、２つのガイド３４を備え、押しボタン４０は、２つの対応する突起部４４を備える。突起部４４は、受け台３０に対して押しボタン４０を案内するように構成された摺動面連結を形成するように、ガイド３４に挿入されるように構成される。
【００４０】
さらに、受け台３０および押しボタン４０は、摺動面連結を形成するように協働するように構成されたそれぞれのスカート３５および４５を備える。受け台３０のスカート３５は、押しボタン４０に向かって突出する。押しボタン４０のスカート４５は、受け台３０に向かって突出する。本実施形態では、スカート３５および４５は円筒状である。図１から分かり得るように、押しボタン４０のスカート４５の径方向外面は、受け台３０のスカート３５の径方向内面に沿って摺動する。スカート３５と４５との間の協働は、押しボタン４０が受け台３０に対して移動することによる振動および共振を減衰させるように働く。
【００４１】
加えて、図３から分かり得るように、押しボタン４０は、第１の摺動面要素４６、ここでは３つの第１の摺動面要素４６を備える。第１の摺動面要素４６の数は、もっと多くても少なくてもよい。第１の摺動面要素４６は、受け台３０に向かって突出する。第１の摺動面要素４６の遠位端部は、それぞれの当接部形成肩部４６ａを有する。図５に示されるように、肩部４６ａはまた、以下で説明される２つの摺動面要素６６にスナップ締結することによってこれを組み立てることを可能にする形状を有する。
【００４２】
押しボタン４０および受け台３０は、互いに対して並進移動することによって協働する。換言すれば、押しボタン４０は、この場合は摺動壁４１ｂが延びる方向に、ここでは押し壁４１ａに対して垂直に、並進移動可能である。押しボタン４０が並進移動する方向は、図１においてＸで示されており、これは蓋２０の軸に対応する。本実施形態では、蓋軸Ｘは、ポット１００がその通常の使用位置で閉じられているとき、すなわち開口部１１ｂが上を向いているときに垂直方向に延びる。別途明記されない限り、軸方向、径方向、および横方向は、以下では、蓋軸Ｘに対して明記される。
【００４３】
受け台３０および押しボタン４０は、ハート形状経路を有するカムを介して協働する。この目的のために、受け台は少なくとも１つ、この例では具体的には２つのカムアーム３８を備える（図２Ａを参照）。カムアーム３８は、スカート３５の内側に半径方向に位置している。押しボタン４０は、少なくとも１つのハート形状経路４８、具体的にはこの例では２つの経路４８を備える（図３を参照）。ハート形状経路４８は、スカート４５の内側に径方向に位置している。加えて、戻り要素−この例では受け台３０と押しボタン４０との間に圧縮状態で、この例ではスカート３５および４５の内側に装着されたばね５４の形態の戻り要素は、押しボタン４０を受け台３０から離れるように付勢する傾向がある。ハート形状経路を備えたカムの作動は、以下に詳細に説明される。
【００４４】
蓋２０は、リング５０をさらに備える。この実施形態では、リング５０は、実質的に環状である。リング５０は、蓋２０の横方向外周を形成する。図１から分かり得るように、押しボタン４０の摺動壁４１ｂは、リング５０の径方向内面に沿って摺動する。
【００４５】
リング５０は、スナップ締結によってリング５０を受け台３０に締結することを可能にするキャッチ５２（図２Ａを参照）を備える。摺動壁４１ｂは、キャッチ５２に当接するのに適している。この例では、キャッチ５２は、リング５０の内側の円周周りに配置される。１つのみのキャッチ５２があるようにされても、複数のキャッチ５２があるようにされてもよい。１つのみのキャッチがあるとき、キャッチ５２は、少なくともブロッキングタング４２が通過することを可能にするために遮られる必要があり、このタングは、図１から分かり得るように、摺動壁４１ｂからキャッチ５２の下方に突出する。
【００４６】
蓋２０は、インサート６０をさらに備える。インサート６０は、インサート本体６２を備え、そこからレール６４が突出する。レール６４、および場合によってはインサート本体６２も、開口部１１ｂの形状と実質的に一致する、蓋軸Ｘに対する断面形状を有する。加えて、インサート６０は、第２の摺動面要素６６を備え、この例では３つの第２の摺動面要素６６がある。第２の摺動面要素６６の数は、もっと多くても少なくてもよい。第２の摺動面要素６６は、押しボタン４０に向かって突出する。第２の摺動面要素６６の遠位端部には、それぞれの当接部形成肩部６６ａが設けられており、これらの肩部は、上述のように、スナップ締結によって第１の摺動面要素４６と組み立てることができるように構成される。
【００４７】
第２の摺動面要素６６は、上述の第１の摺動面要素４６と協働するのに適している。これらが互いに対して並進移動することを可能にするそれらの相補的な形状は、図１から分かり得る。押しボタン４０およびインサート６０は受け台３０の両側にあるが、第１および第２の摺動面要素４６および６６と位置合わせして受け台３０に形成された窓３６（図２Ａを参照）が、第１および第２の摺動面要素４６および６６が接触し互いに協働することを可能にする。
【００４８】
協働することにより、第１および第２の摺動面要素４６および６６は、インサート６０に対する押しボタン４０の並進ストロークを規定する。例えば、肩部４６ａは、肩部６６ａとインサート本体６２との間で並進移動可能である。
【００４９】
インサート６０は、本体１０のそばで受け台３０に組み付けられ得る。例えば、組立体は、インサート６０のクレネル模様６７を受け台３０の対応する要素に係合させることによって実施され得る。
【００５０】
蓋６０は、マスク６８をさらに備える。図１に示されるように、マスク６８は、受け台３０と接触することができる。マスク６８は、締結具要素、例えば、受け台３０の締結スロット３９と協働するスナップ締結アーム６８ａによって受け台３０上に締結され得る。マスク６８の自由表面、すなわち図１の底面は、ポット１００が開いているとき、すなわち蓋２０が本体１０から離間されているときにポット１００のユーザに見える。この表面は、装飾を担持してもよい。
【００５１】
蓋２０は、中空トーラスの形態のガスケット６９をさらに備える。ガスケット６９は、これをインサート６０のレール６４上に装着することを可能にするスロット６９ａを備える。この実施形態では、スロット６９ａは、ガスケット６９の全体に沿って伸びる。装着されると、また、ガスケット６９の形状が開口部１１ｂの形状と一致する限り、ガスケット６９は、図１から分かり得るように、膜シール１８によって提供される閉鎖具をシールする。
【００５２】
ガスケット６９は、軸方向であるシール作用、すなわち蓋２０の軸Ｘの方向に沿ったシール作用をもたらすように構成される。換言すれば、ガスケット６９は、蓋２０の軸Ｘに対して垂直な表面にシール作用をもたらす。
【００５３】
さらに、ガスケット６９は、その圧縮方向のシール作用、すなわちその圧縮方向に垂直な表面に対してシール作用をもたらすように構成され得る。図１の例では、ガスケット６９は、この例では軸方向に移動するインサート６０によって軸方向に圧縮されてよく、次いで、この例では膜シール１８およびリム１１ａに対して軸方向のシール作用をもたらす。
【００５４】
上述のように、蓋２０は、閉鎖タブ７０をさらに備える。閉鎖タブ７０は、受け台３０内の対応するオリフィス３１内に受け入れられるように構成されたピボット７２を備える。したがって、閉鎖タブ７０は、受け台３０に対してピボット７２を中心に枢動するように装着される。本実施形態では、ピボット７２は、蓋軸Ｘに対して垂直である。この例では、ピボット７２は、閉鎖タブ７０の一端に置かれる。
【００５５】
ピボット７２とは反対側のその端部において、閉鎖タブ７０は、フック７４を備える。「フック」７４という用語は、ここではプレート１４に設けられているような対応する係合要素１４ａと係合するのに適した任意の形状を示すために使用される。フック７４は、閉鎖タブ７０の本体１０に最も近い側に設けられ、一方でピボット７２は、閉鎖タブ７０の、本体１０から最も遠い側に、すなわちこの例では押しボタン４０に最も近い側に設けられる。
【００５６】
閉鎖タブ７０は、蓋軸Ｘに対して径方向にブロッキングタング４２に向かって突出する突出部７６をさらに備える。突出部７６は、ブロッキングタング４２および押し壁４１ａに面する面取りされた表面を備える。
【００５７】
蓋２０にはまた、閉鎖タブ７０を係合解除位置、すなわち上述のように閉鎖タブ７０が係合要素１４ｅと協働しない位置に付勢するように構成された戻り手段が設けられる。本実施形態では、戻り手段は、ばね７８を備える。ばね７８は、閉鎖タブ７０を係合実施形態１４ｅから離れるように枢動させるように、受け台３０と閉鎖タブ７０との間でねじれて装着される。
【００５８】
代替策として、またはこれに加えて、戻り手段は、ポット１００がその通常の利用位置にあるときに閉鎖タブを重力下で傾斜させるための磁石、または実際にはおもりを備えることができる。
【００５９】
ポット１００の動作は、図１、図４、および図５を参照して以下に説明される。
【００６０】
図１は、ポット１００が閉位置にある状態を示している。蓋２０は、膜シール１８とは無関係に開口部１１ｂを閉じる。閉鎖タブ７０は、閉鎖タブ７０が係合要素１４ｅと協働する係合位置にあり、したがって蓋２０を閉位置に保持する。さらに、ブロッキングタング４２は、ブロッキングタング４２が閉鎖タブ７０を係合位置にブロックするロック位置にある。具体的には、図１から分かり得るように、突出部７６がブロッキングタング４２に押し付けられているので、閉鎖タブ７０をそのピボット７２の周りで回転させることは不可能である。これにより、ポット１００はしっかりと閉じられる。
【００６１】
この実施形態では、押しボタン４０は、ブロッキングタング４２をロック位置と非ロック位置との間で移動させるように構成されたアクチュエータとして作用する。
【００６２】
ユーザがポット１００のロックを解除しようとするとき、ユーザは、アクチュエータを起動させるために押しボタン４０の押し壁４１ａを押さえる。ユーザは、蓋軸Ｘに沿って軸方向の圧力を及ぼす。押さえる前、カムアーム３８は、図４に示す第１の安定位置３８ａにある。押しボタン４０を押さえることにより、ばね５４の戻り効果に抗して、カムアーム３８は、第２の安定位置３８ｂに到達するように図４の矢印の方向にハート形状経路４８をたどる。押しボタン４０はこのとき、図５に示す位置にある。
【００６３】
図５に示されるように、押しボタン４０を押さえると、押しボタン４０は、本体１０から離れるように蓋軸Ｘに沿って並進移動することが可能になる。したがって、押しボタン４０は、これがハート形状経路を有するカムによって保持されるまで、ばね５４によって本体１０から離れるように移動される。
【００６４】
押しボタン４０と並進移動するように拘束されるブロッキングタング４２もまた、本体１０から離れるように移動する。そのようにする際、もはや突出部７６と、より全般的には閉鎖タブ７０とも接触しなくなる。したがって、ブロッキングタング４２は非ロック位置にあり、この位置では、閉鎖タブ７０は係合位置と係合解除位置との間で移動可能である。ばね７８からの付勢の下で、閉鎖タブ７０は枢動し、係合位置から図５に示される係合解除位置まで進む。この位置では、閉鎖タブ７０は、係合要素１４ｅと協働せず、ユーザはポット１００を自由に開くことができる。この場合、ポット１００の開放は、蓋２０にその閉位置を離れるように付勢するばね１６の存在の結果、支援され場合によっては自動となる。
【００６５】
図５に示されるように、受け台３０は、閉鎖タブ７０が係合解除位置にあるときに閉鎖タブ７０が停止部３７に当接するように設けられた停止部３７を備える。したがって、係合要素１４ｅと共に、停止部３７は、閉鎖タブ７０の回転ストロークを規定する。以下に説明されるように、停止部３７は閉鎖タブ７０の回転を限定するので、係合解除位置から係合位置までのその通過は、ブロッキングタング４２によって容易に駆動され得る。
【００６６】
ポット１００を閉じてロックするために、ユーザは、蓋２０を閉位置に置き、次いでアクチュエータとして作用する押しボタン４０を押さえることができる。そのようにする際、カムアーム３８は、図４に示す矢印の方向にしたがって、第２の安定位置３８ｂから第１の安定位置３８ａまで進む。押しボタン４０に圧力が加えられると、ブロッキングタング４２は、本体１０に向かって移動される。この移動において、ブロッキングタング４２は、突出部７６と協働し、ばね７８の効果に抗して、係合位置にある閉鎖タブ７０を元の位置に置こうとする。第１の安定位置３８ａにもう一度達すると、状況はもう一度図１に示されるようになり、蓋２０は閉位置にあり、閉鎖タブ７０は係合位置にあり、ブロッキングタング４２はロック位置にある。
【００６７】
図６から図１０は、別の実施形態におけるポットを示す。これらの図において、第１の実施形態の要素に対応するかまたは同一の要素は、１００桁を除いて同じ参照符号を与え、それらは再び説明しない。
【００６８】
図６は、ポット２００の第２の実施形態を示す。この実施形態は、受け台１３０、押しボタン１４０、およびインサート１６０が協働する方法において本質的に第１の実施形態と異なる。第１および第２の摺動面要素４６および６６の代わりに、押しボタン１４０およびインサート１６０は、互いに対して固定するように装着されたそれぞれの第１および第２のスナップ締結要素１４６および１６６を備える。したがって、この実施形態では、インサート１６０は、押しボタン１４０と一緒に、特に蓋軸Ｘに沿って並進移動するように拘束される。
【００６９】
さらに、図７（図６は平面ＶＩ−ＶＩにおける断面図である）および図１０の斜視図からも分かり得るように、ハート形状経路１４８は、もはや押しボタン１４０には設けられておらず、インサート１６０上に設けられている。カムアーム１３８は、依然として受け台１３０上であるが、スカート１３５の外側で受け台１３０の周囲に設けられている。
【００７０】
押しボタン１４０を押さえることによって、カムアーム１３８は、第１の安定位置１３８ａから第２の安定位置１３８ｂへと進み、それによってブロッキングタング１４２を図８に示される係合解除位置まで進ませる。図８は、図６の平面と同様の平面上の図である。閉鎖タブ１７０は、係合解除位置にある。加えて、インサート１６０は本体１１０から離れるように移動しており、それによってガスケット１６９を開口部１１１ｂから、そしてもしあれば膜シール１１８から離れるように係合解除する。換言すれば、図６および図８から分かり得るように、ガスケット１６９は、この例ではインサート１６０を介して押しボタン１４０と並進移動するように拘束される。
【００７１】
図９は、第２の実施形態における押しボタン１４０の斜視図である。既に説明した特徴に加えて、ブロッキングタング１４２は、摺動壁１４１ｂとの接合部において径方向のずれ１４１ｃを有すことに留意されたい。このずれ１４１ｃは、径方向内側に突出しているリング１５０を補償しようとしている（図８を参照）。図６に示されるように、ブロッキングタングのロック位置では、押しボタン１４０の押し壁１４１ａは、これに隣接するリング１５０の半径方向突出部と同じ高さにある。
【００７２】
図１０に示されるように、インサート１６０は、ハート形状経路１４８の存在を除いて、第１の実施形態のインサート６０と非常に類似している。加えて、インサート１６０は受け台１３０に対して移動可能であるため、これは、クレネル模様６７に対応する要素を備えない。
【００７３】
図１１は、受け台１３０の斜視図である。この図では、閉鎖タブ１７０を枢動可能に受け入れるためのオリフィス１３１は、それ自体が特に明確に見られ得る。オリフィス１３１の近傍には、ばね７８の支点として作用するように構成されたノッチ１３１ａが設けられる。類似のノッチが、第１の実施形態に設けられてよい（図３を参照）。
【００７４】
図６および図８から分かり得るように、ポット２００は、マスク６８に類似するマスクを備えない。本体１１０に面する受け台１３０の表面それ自体が、装飾され得る固体表面である。
【００７５】
加えて、受け台１３０は、ガイド３４に類似するガイドを備えない。同様に、押しボタン１４０は、ガイド４４に類似するガイドを備えない。カムアーム１３８がスカート１３５の外側に設けられかつ直径方向に対向している限り、これらは、受け台に対して押しボタン１４０およびインサート１６０に十分な案内を与えるのに十分離間されている。
【００７６】
本発明は特定の実施形態を参照して説明されているが、特許請求の範囲によって定義される本発明の一般的な範囲を逸脱することなくこれらの実施形態に改変を加えることができる。特に、図示および／または説明されている様々な実施形態の個々の特徴は、追加の実施形態において組み合わせられてよい。その結果、説明および図は、限定的ではなく例示的であるという意味で考慮されるべきである。
【図１】
2019529048.tif 000003
【図２Ａ】
2019529048.tif 000004
【図２Ｂ】
2019529048.tif 000005
【図３】
2019529048.tif 000006
【図４】
2019529048.tif 000007
【図５】
2019529048.tif 000008
【図６】
2019529048.tif 000009
【図７】
2019529048.tif 000010
【図８】
2019529048.tif 000011
【図９】
2019529048.tif 000012
【図１０】
2019529048.tif 000013
【図１１】
2019529048.tif 000014
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
固体、液体またはペースト状の物質（１２）を収容するのに適した空洞を有する本体（１０、１１０）であって、前記空洞は開口部（１１ｂ、１１１ｂ）を有する本体と、前記本体（１０、１１０）に対して移動可能である蓋（２０、１２０）と、を備えるポット（１００、２００）であって、前記本体（１０、１１０）および前記蓋（２０、１２０）の間からの第１の要素は、係合要素（１４ｅ）を含み、前記本体（１０、１１０）および前記蓋（２０、１２０）の間からの第２の要素は、閉鎖タブ（７０、１７０）であって、前記蓋（２０、１２０）が前記開口部を閉じる閉位置にあるとき、前記閉鎖タブ（７０、１７０）が前記係合要素（１４ｅ）と協働し、それによって前記蓋（２０、１２０）を前記閉位置に保持する係合位置と、前記蓋（２０、１２０）が前記本体（１０、１１０）に対して移動することを可能にするために前記閉鎖タブ（７０、１７０）が前記係合要素（１４ｅ）と協働しない係合解除位置と、の間で移動可能である、閉鎖タブを含む、ポットにおいて、ブロッキングタング（４２、１４２）であって、前記ブロッキングタング（４２、１４２）が前記閉鎖タブ（７０、１７０）を前記係合位置にブロックするロック位置と、前記閉鎖タブ（７０、１７０）が前記係合位置と前記係合解除位置との間で移動可能である非ロック位置と、の間で移動可能である、ブロッキングタングと、前記ブロッキングタング（４２、１４２）を前記ロック位置と非ロック位置との間で移動させるように構成されたアクチュエータ（４０、１４０）と、を備えることを特徴とする、ポット。
【請求項２】
前記閉鎖タブ（７０、１７０）が、回転移動可能である、請求項１に記載のポット。
【請求項３】
前記閉鎖タブ（７０、１７０）を前記係合解除位置に戻すように構成された戻り手段（７８）を備える、請求項１または請求項２に記載のポット。
【請求項４】
停止部を備え、前記係合解除位置において、前記閉鎖タブ（７０、１７０）が前記停止部に当接している、請求項１から３のいずれか一項に記載のポット。
【請求項５】
前記ブロッキングタング（４２、１４２）が、前記アクチュエータ（４０、１４０）にしっかりと連結されている、請求項１から４のいずれか一項に記載のポット。
【請求項６】
前記閉鎖タブ（７０、１７０）が、前記ブロッキングタング（４２、１４２）と協働するように構成された突出部（７２）を備える、請求項１から５のいずれか一項に記載のポット。
【請求項７】
前記アクチュエータが、並進移動可能である押しボタン（４０、１４０）である、請求項１から６のいずれか一項に記載のポット。
【請求項８】
前記押しボタンが、押し壁（４１ａ）と、前記押し壁（４１ａ）に対して実質的に垂直である摺動壁（４１ｂ）と、を備え、前記ブロッキングタング（４２、１４２）は、前記摺動壁（４１ｂ）上に形成されている、請求項７に記載のポット。
【請求項９】
前記第１の要素が、前記本体（１０、１１０）であり、前記第２の要素が、前記蓋（２０、１２０）である、請求項１から８のいずれか一項に記載のポット。
【請求項１０】
前記本体（１０、１１０）および前記蓋（２０、１２０）が、互いに連接される、請求項１から９のいずれか一項に記載のポット。
【請求項１１】
前記蓋（２０、１２０）が、シーリングガスケット（６９、１６９）をさらに備え、前記アクチュエータ（４０、１４０）が、前記ブロッキングタング（４２、１４２）が前記ロック位置にあるとき前記シーリングガスケット（６９、１６９）を圧縮するように構成される、請求項１から１０のいずれか一項に記載のポット。
【国際調査報告】
2019529048.tif 000015
2019529048.tif 000016
2019529048.tif 000017
2019529048.tif 000018
2019529048.tif 000019
2019529048.tif 000020